(57)【要約】【課題】内圧防爆型端末装置においてレシートを排出する際に生じる騒音を低減する。【解決手段】非危険場所からハウジング１０内に圧縮空気Ａを導入し、ハウジング内の圧力を高めて防爆構造とした内圧防爆型端末装置４であって、レシート排出口１５と、レシート排出口に連続して形成されるレシート搬送路１６と、レシート搬送路に配置され、レシート排出口から排出されてレシート搬送路内を搬送されるレシートＲの一面に接触する弾性部材１７とを備える内圧防爆型端末装置。弾性部材は、レシートの搬送方向に沿って形成される切込み部１７ｃを備えてもよく、切込み部を複数備えてもよい。【選択図】図２
2020008913.tif 000002
【特許請求の範囲】
【請求項１】
非危険場所からハウジング内に圧縮空気を導入し、該ハウジング内の圧力を高めて防爆構造とした内圧防爆型端末装置であって、
レシート排出口と、
該レシート排出口に連続して形成されるレシート搬送路と、
該レシート搬送路に配置され、前記レシート排出口から排出されて前記レシート搬送路内を搬送されるレシートの一面に接触する弾性部材とを備えることを特徴とする内圧防爆型端末装置。
【請求項２】
前記弾性部材は、前記レシートの搬送方向に沿って形成される切込み部を備えることを特徴とする請求項１に記載の内圧防爆型端末装置。
【請求項３】
前記切込み部を複数備えることを特徴とする請求項２に記載の内圧防爆型端末装置。
【発明の詳細な説明】
【技術分野】
【０００１】
本発明は、引火性が強いガスを取り扱う場所に設置される内圧防爆型端末装置に関し、特に、プリンタを内蔵する内圧防爆型端末装置に関する。
【背景技術】
【０００２】
ＬＰガス、天然ガス及び水素ガス等のガスは引火性が強く危険であるので、これらのガスを取り扱う場所に設置される端末装置には内圧防爆型が使用されている。内圧防爆型端末装置は、端末装置のハウジング内に非危険場所から圧縮空気を送り込んでハウジング内の圧力を高め、ハウジング内に周囲の可燃性ガスが流入しないようにしたものであり、本出願人は特許文献１で提案した。
【先行技術文献】
【特許文献】
【０００３】
【特許文献１】特開昭６１−１１３９４号公報
【発明の概要】
【発明が解決しようとする課題】
【０００４】
上記特許文献１に記載の発明は有効であるが、図７に示すように、プリンタ（不図示）で印字されるレシートＲの排出口１５を、ハウジングの内圧を保持するために細く、狭く形成したため、レシートＲを排出する際に内圧防爆構造を維持するための圧縮空気によってレシートＲが排出口１５の周囲に当接して矢印の方向に振動し、笛のような音が鳴り、周囲への騒音となっていた。
【０００５】
そこで、本発明は上記従来の問題に鑑みてなされたものであって、内圧防爆型端末装置においてレシートを排出する際に生じる騒音を低減することを目的とする。
【課題を解決するための手段】
【０００６】
上記目的を達成するため、本発明は、非危険場所からハウジング内に圧縮空気を導入し、該ハウジング内の圧力を高めて防爆構造とした内圧防爆型端末装置であって、レシート排出口と、該レシート排出口に連続して形成されるレシート搬送路と、該レシート搬送路に配置され、前記レシート排出口から排出されて前記レシート搬送路内を搬送されるレシートの一面に接触する弾性部材とを備えることを特徴とする。
【０００７】
本発明によれば、レシートの表裏のいずれか一方に衝突する圧縮空気によるレシートの移動を弾性部材によって規制し、レシートの振動を防止することで、騒音をきわめて効率的に低減することができる。
【０００８】
上記内圧防爆型端末装置において、前記弾性部材は、前記レシートの搬送方向に沿って形成される切込み部を備えることができ、これにより、圧縮空気が切込み部を通過することでレシート搬送路内に滞留しなくなるため、レシートの振動の発生をさらに効果的に防止することができる。
【０００９】
上記内圧防爆型端末装置において、前記切込み部を複数設けることができ、これにより、圧縮空気が効率的に切込み部を通過し、レシートの振動の発生をより確実に防止することができる。
【発明の効果】
【００１０】
以上のように、本発明によれば、内圧防爆型端末装置においてレシートを排出する際に生じる騒音を低減することができる。
【図面の簡単な説明】
【００１１】
【図１】本発明に係る内圧防爆型端末装置が設置されたガス充填所を示す概略図である。
【図２】本発明に係る内圧防爆型端末装置の一実施の形態を示し、（ａ）は一部破断正面図、（ｂ）は一部破断側面図である。
【図３】図２（ａ）のＡ−Ａ線断面図である。
【図４】図２（ｂ）のＢ−Ｂ線断面図である。
【図５】図２〜図４に示す弾性部材の三面図であって、（ａ）は正面図、（ｂ）は上面図、（ｃ）は側面図である。
【図６】弾性部材の変形例を示し、図４に対応する断面図である。
【図７】従来の内圧防爆型端末装置の一例を示し、図３に対応する断面図である。
【発明を実施するための形態】
【００１２】
次に、本発明を実施するための形態について、図面を参照しながら詳細に説明する。
【００１３】
図１は、本発明に係る内圧防爆型端末装置が設置されたガス充填所を示し、このガス充填所１には、水素ガス等を車両等に充填するためのガス充填装置２と、コンプレッサ３から供給される圧縮空気Ａによって内圧防爆構造を有し、ガス充填装置２の充填データに基づいて料金支払用のレシートを発行する内圧防爆型端末装置４と、精算処理や売上げの管理等を行うＰＯＳ端末５等が設置され、屋外に設置されるガス充填装置２及び内圧防爆型端末装置４、並びに屋内に設置されるＰＯＳ端末５が電気的に接続されている。コンプレッサ３をガス充填所１の屋内に設置することで、防爆構造にせずに済ませている。
【００１４】
内圧防爆型端末装置４は、図２に示すように、ハウジング１０と、ガス充填に関する情報を表示する表示部１１と、カードリーダ１２と、ロール状に巻回されたレシートに印字するプリンタ１３と、プリンタ１３によって印字されたレシートを取り出すためのレシート取出部１４等を備え、ハウジング１０内にコンプレッサ３から圧縮空気Ａを供給することで内圧を高め、内圧防爆構造としている。
【００１５】
プリンタ１３とレシート取出部１４の間には、図３に示すように、プリンタ１３で印字されたレシートＲが排出されるレシート排出口１５と、レシート排出口１５から排出されるレシートＲを搬送するレシート搬送路１６が設けられ、このレシート搬送路１６には、図４及び図５にも示すように、弾性部材１７が設けられている。
【００１６】
弾性部材１７は、図４及び図５に示すように、上部１７ａが矩形板状に形成され、その下方に３つの直方体状の突出部１７ｂを備え、全体的にゴムやスポンジ状の材料等で一体に構成される。隣接する突出部１７ｂの間は、レシートＲ（図４参照）の排出方向に沿って水平方向に延設された切込み部１７ｃとなっている。突出部１７ｂの寸法や位置は、レシートＲの幅に応じて適宜調整し、レシートＲの左右方向の両端部が左端及び右端の突出部１７ｂに、レシートＲの中央部が中央の突出部１７ｂに常に当接して安定した状態でレシートＲが下方に排出されるように構成される。弾性部材１７は、両面テープ１９又はねじ１８等でレシート搬送路１６の構成部材に固定される。
【００１７】
上記構成により、図３に示すように、レシート排出口１５から排出されるレシートＲに圧縮空気Ａによって加えられる右方向の力Ｆを弾性部材１７が吸収し、レシートＲが弾性部材１７に押し付けられることでレシートＲの振動を防止し、騒音を低減することができる。
【００１８】
また、図４及び図５に示すように、弾性部材１７に切込み部１７ｃを設けたため、レシート排出口１５からレシートＲと共に排出される圧縮空気Ａが切込み部１７ｃを通過し、レシート搬送路１６内に滞留しないため、レシートＲの振動の発生をより確実に防止することができる。
【００１９】
次に、上記弾性部材１７の変形例について図６（上記図４に対応する断面図）を参照しながら説明する。尚、その他の構成要素は、上記と同一であるため、同一の参照番号を付して説明を省略する。
【００２０】
図６に示す弾性部材２０は、直方体状に形成される２つの部材からなり、レシート搬送路１６において、レシートＲの左右方向の両端部のみを支持し、上記弾性部材１７の各切込み部１７ｃよりも大きな開口２０ａを中央に形成する。これにより、レシート搬送路１６内の圧縮空気の滞留をさらに効果的に防止し、レシートＲの振動による騒音を低減することができる。
【００２１】
尚、上記実施の形態における弾性部材１７、２０の形状や配置例に限定されず、レシート排出口１５から排出されてレシート搬送路１６内を搬送されるレシートＲの一面に接触する弾性部材であれば、他の形状や配置とすることもできる。また、弾性部材の材質もゴムやスポンジに限定されず、弾性を備える他の材料とすることも可能である。
【符号の説明】
【００２２】
１  ガス充填所
２  ガス充填装置
３  コンプレッサ
４  内圧防爆型端末装置
５  ＰＯＳ端末
１０  ハウジング
１１  表示部
１２  カードリーダ
１３  プリンタ
１４  レシート取出部
１５  レシート排出口
１６  レシート搬送路
１７  弾性部材
１７ａ  上部
１７ｂ  突出部
１７ｃ  切込み部
１８  ねじ
１９  両面テープ
２０  弾性部材
２０ａ  開口
Ａ  圧縮空気
Ｆ  力
Ｒ  レシート
【図１】
2020008913.tif 000003
【図２】
2020008913.tif 000004
【図３】
2020008913.tif 000005
【図４】
2020008913.tif 000006
【図５】
2020008913.tif 000007
【図６】
2020008913.tif 000008
【図７】
2020008913.tif 000009